(57)【要約】【課題】  本発明は、油などの液状或いは接着剤，糊等の溶融物体が充填される包装用容器に装着されるノズルキャップ付き開閉蓋の改良に関する。【解決手段】包装用容器１１の上部開口に装着される開閉蓋１０と、該開閉蓋１０の先端側に形成された連通孔を有する先細のノズル体１２と、該ノズル体１２の先端開孔を塞ぐノズルキャップ１３とを備え、前記開閉蓋１０の基部１０ａと前記ノズルキャップ１３とが柔軟性を有する帯状の連結条１４によって互いに連結された容器のノズルキャップ付き開閉蓋であって、前記開閉蓋１０には前記ノズルキャップ１３をノズル１２より取り外した際の、前記ノズルキャップ１３の揺動を規制する保持手段１５を設けた構成とした。【選択図】  図４
2006335458.tif 000002
【特許請求の範囲】
【請求項１】
包装用容器の上部開口に装着される開閉蓋と、該開閉蓋の先端側に形成された連通孔を有する先細のノズル体と、該ノズル体の先端開孔を塞ぐノズルキャップとを備え、前記開閉蓋の基部と前記ノズルキャップとが柔軟性を有する帯状の連結条によって互いに連結された容器のノズルキャップ付き開閉蓋であって、前記開閉蓋には前記ノズルキャップをノズルより取り外した際の、前記ノズルキャップの揺動を規制する保持手段を設けたことを特徴とする包装用容器のノズルキャップ付き開閉蓋。
【請求項２】
前記ノズルキャップの揺動を規制する保持手段は、前記ノズルキャップ近傍の前記連結条を係止する係止部であることを特徴とする請求項１記載の包装用容器のノズルキャップ付き開閉蓋。
【請求項３】
前記ノズルキャップの揺動を規制する保持手段は、前記ノズルキャップ近傍の前記連結条と前記ノズルキャップとを同時に挟持する挟持部であることを特徴とする請求項１記載の包装用容器のノズルキャップ付き開閉蓋。
【発明の詳細な説明】
【技術分野】
【０００１】
本発明は、油などの液状の、或いは接着剤，糊等の溶融物体が充填される包装用容器に装着されるノズルキャップ付き開閉蓋の改良に関するものである。
【背景技術】
【０００２】
油などの液状の、或いは接着剤，糊等の溶融物体が充填されるプラスチック製或いは金属製の包装用容器は、内容物取り出し用の一体成形された先細のノズル体を有する開閉蓋を、容器本体の首部開口に螺合などの手段で装着されるようになっており、前記ノズル体の先端部にはノズルキャップが設けられノズル体の先端開口を閉塞するようになっている。  
したがって、内容物を容器本体から取り出すためには、前記ノズルキャップをノズル体先端部より取り除いて行うようにしている。そして、前記ノズルキャップは、ノズル体から取り外した際に、仕舞い忘れ等がないように、前記開閉蓋と連結条によって互いに一体的に成形されている（実用新案登録第２５１５９０７号公報参照）。
【特許文献１】実用新案登録第２５１５９０７号公報
【発明の開示】
【発明が解決しようとする課題】
【０００３】
従来の包装用容器のノズルキャップ付き開閉蓋１０は、図６の（ａ）に示すように包装容器１１の首部開口に螺合装着する開閉蓋の大径の基部１０ａと、この基部１０ａ上方に先細状に伸びるノズル体１２と、前記ノズル体１２の先端開口部に被冠されるノズルキャップ１３とからなり、前記基部１０ａとノズルキャップ１３とは、柔軟性を有する帯状の連結条１４によって連結されて構成されたものである。
そして、前記包装用容器１１内に収容した内容物（例えば接着剤）を包装容器１１から取り出すためには、図６の（ｂ）に示すように、ノズルキャップ１３を前記ノズル体１２の先端開口より単に取り除いて、ノズルキャップ１３が開閉蓋の大径の基部１０ａに連結条１４によって連結された状態で、容器の胴体部１１ａを持ってノズル部を下方に傾け行うようにしているが、前記ノズルキャップ１３は、ノズル体１２からの取り外しの際に、ノズル体１２の近傍で連結条１４の弾性が働いて、不規則な揺動或いはノズル開口部に戻ろうとする慣性運動をして、取り扱い作業者に著しい不具合を生じさせる結果となっている。
したがって、包装用容器１１の使用者は、取り外されたノズルキャップ１３がうろうろとした不規則な揺動をおこさないようにするため、図６の（ｃ）に示すように、ノズルキャップ１３に指を添えて容器１１の胴体部１１ａに押し付けて保持したり、あるいは両手を使用してノズルキャップ１３の動きを封じて包装用容器１１からの内容物取り出し作業を行う必要があった。
【０００４】
本発明は、上記のような従来の問題点を解決するためになされたもので、開閉蓋１０とノズルキャップ１３とが柔軟性を有する帯状の連結条１４によって互いに一体的に連結された包装用容器１１のノズルキャップ付き開閉蓋において、前記ノズル体１２の先端開口から取り外されたノズルキャップ１３を、開閉蓋１０の基部１０ａに形成したノズルキャップ１３を保持部或いは挟持部からなる保持手段１５に固定させることで、前記ノズルキャップ１３がノズル体１２の先端開口近傍で不規則に揺動しないようにして、使い勝手および作業能率の向上を図るようにした包装用容器のノズルキャップ付き開閉蓋を提供することを目的とする。
【課題を解決するための手段】
【０００５】
上記の目的を達成するために請求項１の発明は、包装用容器の上部開口に装着される開閉蓋と、該開閉蓋の先端側に形成された連通孔を有する先細のノズル体１１と、該ノズル体の先端開孔を塞ぐノズルキャップ１３とを備え、前記開閉蓋の基部と前記ノズルキャップとが柔軟性を有する帯状の連結条１４によって互いに連結された容器のノズルキャップ付き開閉蓋であって、前記開閉蓋には前記ノズルキャップをノズルより取り外した際の、前記ノズルキャップの揺動を規制する保持手段を設けたことを特徴とする。
【０００６】
請求項２の発明は、請求項１記載の包装用容器のノズルキャップ付き開閉蓋において、前記ノズルキャップの揺動を規制する保持手段は、前記ノズルキャップ近傍の前記連結条を係止する係止部であることを特徴とする。
請求項３の発明は、請求項１記載の容器のノズルキャップ付き開閉蓋において、前記ノズルキャップの揺動を規制する保持手段は、前記ノズルキャップ近傍の前記連結条と前記ノズルキャップとを同時に挟持する挟持部であることを特徴とする。
【発明の効果】
【０００７】
本発明は、包装用容器の首部開口に装着される開閉蓋と、該開閉蓋の先端側に形成された連通孔を有する先細のノズル体と、該ノズル体の先端開孔を塞ぐノズルキャップとを備え、前記開閉蓋の基部と前記ノズルキャップとが柔軟性を有する帯状の連結条１４によって互いに連結された容器のノズルキャップ付き開閉蓋であって、前記開閉蓋には前記ノズルキャップを取り外した際の、前記ノズルキャップの揺動を規制する保持手段を設けた構成としたので、包装用容器の使用者は、取り外されたノズルキャップがうろうろとした不規則な揺動をおこさないようにノズルキャップに指を添えて容器本体に押し付けて保持したり、あるいは両手を使用してノズルキャップの動きを封じて作業を行う必要がなく、包装用容器の使い勝手および作業能率の向上を図ることが出来る。
【発明を実施するための最良の形態】
【０００８】
本実施の形態による包装用容器のノズルキャップ付き開閉蓋の特徴は、開閉蓋とノズルキャップ１３とが柔軟性を有する帯状の連結条によって互いに一体的に連結された包装用容器のノズルキャップ付き開閉蓋において、前記ノズル体の先端開口から取り外されたノズルキャップ１３を、開閉蓋の基部に形成した保持手段に固定させるようにしたものである。
【実施例１】
【０００９】
以下、本発明の実施例１にかかる包装用容器のノズルキャップ付き開閉蓋について、図面を参照して説明する。
図１は本発明の包装用容器のノズルキャップ付き開閉蓋の第１実施例を示す全体の構成図、図２は第１実施例の包装用容器のノズルキャップ付き開閉蓋におけるノズルキャップを取り外した状態を示す斜視図。図３は同じく第１実施例において取り外したノズルキャップを保持した状態の斜視図。図４は第１実施例の包装用容器のノズルキャップ付き開閉蓋の使用状態を示す斜視図である。
【００１０】
図１において、本発明の第１実施例の包装用容器のノズルキャップ付き開閉蓋１０は、包装容器１１の上部（首部）開口に螺合装着する開閉蓋１０の大径の基部１０ａと、この基部１０ａ上方に先細状に伸びるノズル体１２と、前記ノズル体１２の先端開口部に被冠されるノズルキャップ１３とからなり、前記基部１０ａとノズルキャップ１３とは、柔軟性を有する帯状の連結条１４によって連結されて構成されたものである。１６は保持手段１５となるノズルキャップ１３の保持部で、該保持部１６は、前記開閉蓋１０の大径の基部１０ａに水平方向に突出形成され、端部より切り込んだ切込み部１６ａを持つ舌片１６ｂからなる。前記舌片１６ｂの切込み部１６ａには、前記基部１０ａとノズルキャップ１３を連結する帯状の連結条１４が挿入係止されるようになっている。
【００１１】
以上のように構成された本発明の包装用容器のノズルキャップ付き開閉蓋によれば、前記包装用容器１１内に収容した内容物（例えば接着剤）を包装容器１１から取り出すためには、図４に示すように、ノズルキャップ１３を前記ノズル体１２の先端開口より外して、ノズルキャップ１３に連結された連結条１４を前記開閉蓋１０の大径の基部１０ａに設けた保持部１６に挿入係止して、ノズルキャップ１３の不規則な揺動をなくしてから、包装用容器１１の胴体部１１ａを持ってノズル１２の先端開口部を下方に傾けて、スムーズに容器内の内容物を取り出すことができる。
【実施例２】
【００１２】
図５は、本発明の包装用容器のノズルキャップ付き開閉蓋の第２実施例を示すもので、（ａ）はノズルキャップ付き開閉蓋のノズルキャップを外した状態の斜視図、(ｂ)はノズルより外したノズルキャップを開閉蓋の基部に保持した状態の斜視図である。
この第２実施例による包装用容器のノズルキャップ付き開閉蓋は、前述の第１実施例とほぼ同様であるが、異なる点は、開閉蓋１０の基部１０ａに形成した保持手段１５が異なっている。
【００１３】
第２実施例による保持手段１５は、前記開閉蓋１０の大径の基部１０ａ外周に、水平底面１７ａと垂直面１７ｂを有するＬ字状の挟持部１７が設けられたものである。そして、前記Ｌ字状の挟持部１７には、前記ノズルキャップ１３と連結条１４が纏めて挿入挟持されるようになっている。
前記以外の構成は、前述の第１実施例と同様なので、同一部分には同一符号を付してその詳細は省略する。
【００１４】
以上のように構成された第２実施例による包装用容器のノズルキャップ付き開閉蓋によれば、前記包装用容器１１内に収容した内容物（例えば接着剤）を包装容器１１から取り出すためには、ノズルキャップ１３を前記ノズル体１２の先端開口より外して、ノズルキャップ１３と連結された連結条１４とを纏めて前記開閉蓋１０の大径の基部１０ａに設けた挟持部１７に挿入挟持して、ノズルキャップ１３が包装用容器１１の内容物取り出しに邪魔にならないようにすることが可能となる。
【図面の簡単な説明】
【００１５】
【図１】本発明の包装用容器のノズルキャップ付き開閉蓋の第１実施例を示す全体の構成図、
【図２】第１実施例の包装用容器のノズルキャップ付き開閉蓋におけるノズルキャップを取り外した状態を示す斜視図。
【図３】同じく第１実施例において取り外したノズルキャップを保持した状態の斜視図。
【図４】第１実施例の包装用容器のノズルキャップ付き開閉蓋の使用状態を示す斜視図。
【図５】本発明の包装用容器のノズルキャップ付き開閉蓋の第２実施例を示す斜視図で、（ａ）はノズルキャップ付き開閉蓋のノズルキャップを外した状態の斜視図、（ｂ）はノズルより外したノズルキャップを開閉蓋の基部に保持した状態の斜視図である。
【図６】従来の包装用容器のノズルキャップ付き開閉蓋を示すもので、(ａ)は全体斜視図、(ｂ)はノズルキャップを外した状態の斜視図、（ｃ）は使用状態を示す斜視図。
【符号の説明】
【００１６】
１０      開閉蓋
１０ａ    基部
１１      包装用容器
１１ａ    胴体部
１２      ノズル体
１３      ノズルキャップ
１４      連結条
１５      保持手段
１６      保持部
１６ａ    切込み部
１６ｂ    舌片
１７      挟持部
【図１】
2006335458.tif 000003
【図２】
2006335458.tif 000004
【図３】
2006335458.tif 000005
【図４】
2006335458.tif 000006
【図５】
2006335458.tif 000007
【図６】
2006335458.tif 000008